(57)【特許請求の範囲】
【請求項１】
互いに対向する第１、第２表面と相手面とを含む舌板が設けられる絶縁性本体と、
前記絶縁性本体に固着され、第１半田接続部と弾性的な第１接触部とを含む複数の第１導電端子と、信号を転送するため、第２半田接続部と平板状な第２接触部とを有する少なくとも一対の差分信号端子とを含む複数の端子と、
を備え、前記第１、第２接触部が舌板の第１表面に舌板の長さに沿って二列に配置され、第２接触部が、第１接触部より、前記相手面に接近し、前記第１、第２半田接続部は少なくとも二列に配置されることを特徴とするソケットコネクタ。
【請求項２】
前記舌板の寸法は、標準のＵＳＢ２．０Ａ型のソケットコネクタの対応する舌板の寸法と略同一であることを特徴とする請求項１に記載のソケットコネクタ。
【請求項３】
前記舌板の第１表面が支持面であり、第２表面が係合面であり、前記第１、第２接触部が前記舌板の支持面に配置され、且つそれぞれ支持面の上下側に配置されることを特徴とする請求項１に記載のソケットコネクタ。
【請求項４】
前記差分信号端子が第１対及び第２対を含み、前記端子は第１対と第２対の差分信号端子の間に配置される第２接地端子を含むことを特徴とする請求項１に記載のソケットコネクタ。
【請求項５】
前記複数の第１半田接続部及び第２半田接続部が互いに平行する第１列及び第２列に配置され、前記第１列が舌板の長さ或いは幅に沿って配置されることを特徴とする請求項４に記載のソケットコネクタ。
【請求項６】
前記第２接地端子には第３半田接続部が設けられ、該第３半田接続部が前記第１、第２列の間に位置される第３列に配置されることを特徴とする請求項５に記載のソケットコネクタ。
【請求項７】
前記第１導電端子の第１半田接続部は、パワー端子の第１半田接続部と、負信号端子の第１半田接続部と、正信号端子の第１半田接続部と、第１接地端子の第１半田接続部とを備え、負信号端子の第１半田接続部と正信号端子の第１半田接続部が第１列に配置され、前記第２半田接続部が第２列に配置され、パワー端子の第１半田接続部と第１接地端子の第１半田接続部が第３列に配置され、第１、第２、第３列が互いに平行し、第３列が第１、第２列の間に位置することを特徴とする請求項４に記載のソケットコネクタ。
【請求項８】
前記第２接地端子には第３半田接続部が設けられ、第３半田接続部が第３列に位置し、前記第１対の差分信号端子の第２半田接続部とパワー端子の第１半田接続部とが第１三角形の三つの頂点に配置され；前記負信号端子の第１半田接続部と正信号端子の第１半田接続部と第２接地端子の第３半田接続部とが第２三角形の三つの頂点に配置され；第２対の差分信号端子の第２半田接続部と第１接地端子の第１半田接続部とが第３三角形の三つの頂点に配置されることを特徴とする請求項７に記載のソケットコネクタ。
【請求項９】
前記第１、第２及び第３三角形は等辺三角形であることを特徴とする請求項８に記載のソケットコネクタ。
【請求項１０】
前記ソケットコネクタは、外蓋体と後蓋体とを含む蓋体を有することを特徴とする請求項１に記載のソケットコネクタ。
【発明の詳細な説明】
【技術分野】
【０００１】
本発明は、電気コネクタに関し、特に、ＵＳＢ（Ｕｎｉｖｅｒｓａｌ  Ｓｅｒｉａｌ  Ｂｕｓ）標準を符合したソケットコネクタに関するものである。
【背景技術】
【０００２】
図３２及び図３３に示すように、従来技術のＵＳＢコネクタは、プラグ５００とソケット６００とを具備する。プラグ５００には、ケブール５７と該ケブール５７を被覆する絶縁本体５５とを有する。該絶縁本体５５は、舌片５２と、舌片５２に装着される四つのプラグ端子５３と、前記舌片５２とプラグ端子５３とを被覆するハウジング５４とを備える。舌片５２の上表面とハウジング５４の間には、ソケット６００の舌片６２を収納するための収納孔５６が形成される。プラグ端子５３は、パワー端子５３１と、負信号端子５３２と、正信号端子５３３と、接地端子５３４とを含む。ソケット６００は舌片６２と、舌片６２の下表面に実装される四つのソケット端子６３と、ハウジング６４とを備える、前記ソケット端子６３はパワー端子６３１と、負信号端子６３２と、正信号端子６３３と、接地端子６３４とを含む。舌片６２の下表面とハウジング６４の間には、プラグ５００の舌片５２を収納ための収納孔６６が形成される。プラグ６００がソケット５００と連接する時、ソケット端子６３がプラグ端子５３と電気接続する。
【発明の開示】
【発明が解決しようとする課題】
【０００３】
信号を転送する速度を高めるため、通常の端子には複数の端子を増加する必要がある。同時に、通常のＵＳＢコネクタが占めるスペースを増加させないことが求められる。
【０００４】
そこで本発明の目的は、信号を転送する速度を高めるソケットコネクタを提供することにある。
【課題を解決するための手段】
【０００５】
前記目的を達成するために、本発明のソケットコネクタは、絶縁性本体と、複数の第１導電端子と両対の差分信号端子とを含む端子とを備える。絶縁性本体には、互いに対向する第１、第２表面と相手面とを含む舌板が設けられる。第１導電端子は、前記絶縁性本体に固着され、第１半田接続部と弾性的な第１接触部とを含む。差分信号端子は、信号を転送するため、第２半田接続部と平板状な第２接触部とを有する。前記第１、第２接触部が舌板の第１表面に舌板の長さに沿って二列に配置される。第２接触部は、第１接触部より、前記相手面に接近している。前記第１、第２半田接続部は少なくとも二列に配置される。
【発明の効果】
【０００６】
従来の技術に比べると、本発明は以下の長所がある。本発明のソケットコネクタには、複数の差分信号端子が増加される。これにより、信号を転送する速度が高められる。
【発明を実施するための最良の形態】
【０００７】
図１〜図５に基づくと、本発明のソケットコネクタは、ＵＳＢプラグコネクタ（図示せず）と連接するＵＳＢソケットコネクタ１００である。該ソケットコネクタ１００は、絶縁性本体１と、該絶縁性本体１に挿入される複数の端子２と、端子２を定位するための定位部材６と、絶縁性本体１に被覆する蓋体３とを備える。端子２は、第１導電端子２１及び第１付加端子２２とを具備する。
【０００８】
絶縁性本体１は、相手面１８を含む基部１１と、基部１１から前向きに突出する舌板１２とを有する。舌板１２の上表面が係合面１３であり、下表面が支持面１４である。係合面１３には、複数の第１収納溝１３１が形成される。舌板１２の支持面１４には、前記第１収納溝１３１と貫通する複数の凹所１４１と、前記基部１１を貫通して前記凹所１４１と対応する第２収納溝１４２とが形成される。基部１１には、複数の凸状部片１１１１と凹溝１１３１とが設けられる。
【０００９】
図５及び図６に示すように、第１導電端子２１は、同一構造である四つ第１導電端子２１１〜２１４を含む。該第１導電端子２１１〜２１４は、パワー端子、負信号端子、正信号端子、接地端子とを備える。各第１導電端子２１は、第１接触部１５と、第１半田接続部１６とを有する。第１導電端子２１１、２１２、２１３、２１４の第１半田接続部１６は、Ｖｂｕｓ、Ｓ０、Ｓ０’、Ｇ１である。第１半田接続部１６は、回路基板４に形成される貫通孔４１（図２）を貫通して回路基板４に取付される。第１付加端子２２は、一方及び他方の一対の差分信号端子２３と、該一方及び他方の一対の差分信号端子２３の間に配置される接地端子２４とを有する。
【００１０】
各差分信号端子２３は、Ｕ字状に折曲される平板状の第２接触部２５と、Ｌ字状の連接部２６と、連接部２６から折り曲がる第２半田接続部材２９とを備える。該第２半田接続部材２９は、一方の一対の差分信号端子２３に設けられる第２半田接続部Ｓ１、Ｓ１’と、他方の一対の差分信号端子２３に設けられる第２半田接続部Ｓ２、Ｓ２’とを具備する。接地端子２４は、Ｕ字状に折曲される平板状の第３接触部２４１と、Ｌ字状の第３連接部２４２と、第３連接部２４２から折り曲がれる第３半田接続部Ｇ２とを備える。
【００１１】
定位部材６には、階段状に形成され、上下に延在する複数の定位溝６１が形成される。
【００１２】
図４に示すように、蓋体３は、外蓋体３１と、後蓋体５とを備える。外蓋体３１は、底板３２と、該底板３２と対向する天板３４と、一対の対向する側板３３とを有する。外蓋体３１の底板３２と、天板３４と側板３３とには複数の弾力片３１０が設けられる。天板３４には係合孔３１１が形成される。側板３３には、内向きに突伸する複数の伸出片３３１が設けられる。外蓋体３１には、側壁３３の底部から下向きに延在する複数の取付脚３３２が設けられる。後蓋体５は、片状部５１と片状部５１に設けられる複数の係合片５２とを有する。
【００１３】
図１〜図７を参照すると、該ソケットコネクタ１００を組み立てる時、第１導電端子２１が絶縁性本体１の第２収納溝１４２に挿入され、第１付加端子２２が絶縁性本体１の第１収納溝１３１に挿入され、第１、第２接触部１５、２５が凹所１４１に嵌め込まれる。第１導電端子２１は第１付加端子２２と接触しない。前記第１導電端子２１の第１接触部１５が舌板１２の支持面１４から突出する。定位部材６が第１導電端子２１及び第１付加端子２２の下に実装される。第１付加端子２２の第１半田接続部１６及び第２半田接続部材２９が定位部材６の定位溝６１に挿入される。外蓋体３１が絶縁性本体１に被覆する。絶縁性本体１の舌板１２が相手コネクタ（図示せず）と電気接続する。絶縁性本体１の凸状部片１１１１が外蓋体３１の係合孔３１１と嵌合する。外蓋体３１の伸出片３３１が絶縁性本体１の凹溝１１３１と係合する。外蓋体３１の弾力片３１０が絶縁性本体１に当接する。後蓋体５が外蓋体３１の後端に被覆し、後蓋体５の係合片５２が外蓋体３１と係合する。
【００１４】
図８〜１３を参照すると、第２実施状態において、外蓋体３１’の取付脚３３２’が一つの側板３３’から舌板１２と平行する方向に向かって延在して回路基板４に実装される。即ち、第１実施状態におけるソケットコネクタ１００を直角に沿ってひっくり返すことによって、第２実施状態におけるソケットコネクタ１００’が製造される。導電端子２の第１半田接続Ｖｂｕｓ、Ｓ０、Ｓ０’、Ｇ１と、第２半田接続部Ｓ１、Ｓ１’、Ｓ２、Ｓ２’と、第３半田接続部Ｇ２とは、絶縁性本体１から外へ延出し、絶縁性本体１の幅に沿って二列に配置される。
【００１５】
図１４〜２２を参照すると、第３〜１１実施状態において、第１半田接続部Ｖｂｕｓ、Ｓ０、Ｓ０’、Ｇ１、第２半田接続部Ｓ１、Ｓ１’、Ｓ２、Ｓ２’及び第３半田接続部Ｇ２とは、舌板１２の長さに沿って三列或いは他の方式で配置される。図１５及び図１６に示すように、第２半田接続部Ｓ１、Ｓ１’、Ｓ２、Ｓ２’が第１列に配置され、第１半田接続部Ｖｂｕｓ、Ｓ０、Ｓ０’、Ｇ１が第２列に配置され、第３半田接続部Ｇ２が第３列に配置される。
【００１６】
図１７及び図１８に示すように、差分信号端子２３の第２半田接続部Ｓ１、Ｓ１’、Ｓ２、Ｓ２’が第１列に配置され、第１半田接続部Ｓ０、Ｓ０’が第２列に配置され、第３半田接続部Ｇ２が第３列に配置される。その中で、第１対の差分信号端子２３の第２半田接続部Ｓ１、Ｓ１’及び第１半田接続部Ｖｂｕｓが第１三角形の三つの頂点に配置され、第１半田接続部Ｓ０、Ｓ０’及び第３半田接続部Ｇ２が第２三角形の三つの頂点に配置され、第２半田接続部Ｓ２、Ｓ２’と第１半田部Ｇ１が第３三角形の三つの頂点に配置される。図１９及び図２０に示すように、前記第１、第２、第３三角形は等辺三角形である。これにより、信号が転送する過程で発生される妨害が防止できる。
【００１７】
図２１及び図２２に示すように、第２半田接続部Ｓ１、Ｓ１’、Ｓ２、Ｓ２’と第３半田接続部Ｇ２が第１列に配置され、第１半田接続部Ｓ０、Ｓ０’が第２列に配置され、第１半田接続部Ｖｂｕｓ、Ｇ１が第３列に配置される。第１、第３半田接続部Ｇ１、Ｇ３が、それぞれ一対の差分信号端子２３の第２半田接続部Ｓ１、Ｓ１’或いはＳ２、Ｓ２’及び正、負信号端子２１３、２１２の第１半田接続部Ｓ０、Ｓ０’に接近する。これにより、差分信号端子が転送する過程で発生される妨害を防止できる。
【００１８】
図２３〜３１を参照すると、第１２〜２０の実施状態において、第１半田接続Ｖｂｕｓ、Ｓ０、Ｓ０’、Ｇ１と、第２半田接続部Ｓ１、Ｓ１’、Ｓ２、Ｓ２’と、第３半田接続部Ｇ２とは、三列或いは他の方式で配置することができる。具体な配置方式が第３〜１１の実施方式に掲示される。
【００１９】
従来のＵＳＢ標準２．０のソケットコネクタ６００に両対の差分信号端子２３及び接地端子２４が増加される。よって、データを転送する速度が高まれる。本発明の実施状態においては、差分信号端子２３が両対を含むが、他の実施状態においては、差分信号端子２３は一対だけを含む。又、付加端子２２の平板状の第２、第３接触部２５，２４１は、弾力構造に設置されてもよい。例えば、図７に示すように、平板状の第２、第３接触部２５，２４１の下方の絶縁部材を取り出して、第２、第３接触部２５，２４１が弾力を具備してもよい。
【００２０】
以上、本発明について好ましい実施形態を参照して詳細に説明したが、実施形態はあくまでも例示的なものであり、これらに限定されるものではない。また上述の説明は、本発明に基づき成し得る細部の修正或は変更などは、いずれも本発明の技術的範囲に属するものである。
【図面の簡単な説明】
【００２１】
【図１】本発明の第１実施状態におけるソケットコネクタが回路基板に取付される組立図である。
【図２】図１に示すソケットコネクタが回路基板に取付される別の組立図である。
【図３】図１に示すソケットコネクタの底面図である。
【図４】図１に示すソケットコネクタの部分に分解斜視図である。
【図５】図１に示すソケットコネクタの別の部分に分解斜視図である。
【図６】図１に示すソケットコネクタの分解斜視図である。
【図７】図６に示すソケットコネクタの部分に組立図である。
【図８】本発明の第２実施状態におけるソケットコネクタが回路基板に実装される組立斜視図である。
【図９】本発明の第２実施状態におけるソケットコネクタの組立斜視図である。
【図１０】本発明の第２実施状態におけるソケットコネクタの底面図である。
【図１１】本発明の第２実施状態におけるソケットコネクタの部分分解斜視図である。
【図１２】本発明の第２実施状態におけるソケットコネクタの分解斜視図である。
【図１３】本発明の第２実施状態におけるソケットコネクタの部分組立図である。
【図１４】本発明の第３実施状態におけるソケットコネクタの半田接続部の配置詳細図である。
【図１５】本発明の第４実施状態におけるソケットコネクタの半田接続部の配置詳細図である。
【図１６】本発明の第５実施状態におけるソケットコネクタの半田接続部の配置詳細図である。
【図１７】本発明の第６実施状態におけるソケットコネクタの半田接続部の配置詳細図である。
【図１８】本発明の第７実施状態におけるソケットコネクタの半田接続部の配置詳細図である。
【図１９】本発明の第８実施状態におけるソケットコネクタの半田接続部の配置詳細図である。
【図２０】本発明の第９実施状態におけるソケットコネクタの半田接続部の配置詳細図である。
【図２１】本発明の第１０実施状態におけるソケットコネクタの半田接続部の配置詳細図である。
【図２２】本発明の第１１実施状態におけるソケットコネクタの半田接続部の配置詳細図である。
【図２３】本発明の第１２実施状態におけるソケットコネクタの半田接続部の配置詳細図である。
【図２４】本発明の第１３実施状態におけるソケットコネクタの半田接続部の配置詳細図である。
【図２５】本発明の第１４実施状態におけるソケットコネクタの半田接続部の配置詳細図である。
【図２６】本発明の第１５実施状態におけるソケットコネクタの半田接続部の配置詳細図である。
【図２７】本発明の第１６実施状態におけるソケットコネクタの半田接続部の配置詳細図である。
【図２８】本発明の第１７実施状態におけるソケットコネクタの半田接続部の配置詳細図である。
【図２９】本発明の第１８実施状態におけるソケットコネクタの半田接続部の配置詳細図である。
【図３０】本発明の第１９実施状態におけるソケットコネクタの半田接続部の配置詳細図である。
【図３１】本発明の第２０実施状態におけるソケットコネクタの半田接続部の配置詳細図である。
【図３２】従来のＵＳＢ２．０標準のＡ型のプラグコネクタの組立斜視図である。
【図３３】従来のＵＳＢ２．０標準のＡ型のソケットコネクタの組立斜視図である。
【符号の説明】
【００２２】
１  絶縁性本体
１０  収納スペース
１００、１００’  ソケットコネクタ
１１  基部
１１１１  凸状部片
１１３１  凹溝
１２  舌板
１３  係合面
１３１  第１収納溝
１４  支持面
１４１  凹所
１４２  第２収納溝
１５  第１接触部
１６  第１半田接続部
１８  相手面
２  端子
２１  第１導電端子
２１１−２１４  第１導電端子
２２  第１付加端子
２３  差分信号端子
２４  接地端子
２４１  第３接触部
２４２  第３連接部
２５  第２接触部
２６  連接部
２９  第２半田接続部材
３  蓋体
３１、３１’  外蓋体
３１０  弾力片
３１１  係合孔
３２  底板
３３、３３’  側板
３３０  第２弾力片
３３１  伸出片
３３２、３３２’  取付脚
３４  天板
４  回路基板
４１  貫通孔
５  後蓋体
５００  ソケットコネクタ
６  定位部材
６１  定位溝
６００  標準ソケットコネクタ
６２  第２絶縁舌板
６３  端子
Ｇ１  第１半田接続部
Ｇ２  第３半田接続部
Ｓ０，Ｓ０’  第１半田接続部
Ｓ１，Ｓ１’，Ｓ２，Ｓ２’  第２半田接続部
【図１】
0004885174.tif 000002
【図２】
0004885174.tif 000003
【図３】
0004885174.tif 000004
【図４】
0004885174.tif 000005
【図５】
0004885174.tif 000006
【図６】
0004885174.tif 000007
【図７】
0004885174.tif 000008
【図８】
0004885174.tif 000009
【図９】
0004885174.tif 000010
【図１０】
0004885174.tif 000011
【図１１】
0004885174.tif 000012
【図１２】
0004885174.tif 000013
【図１３】
0004885174.tif 000014
【図１４】
0004885174.tif 000015
【図１５】
0004885174.tif 000016
【図１６】
0004885174.tif 000017
【図１７】
0004885174.tif 000018
【図１８】
0004885174.tif 000019
【図１９】
0004885174.tif 000020
【図２０】
0004885174.tif 000021
【図２１】
0004885174.tif 000022
【図２２】
0004885174.tif 000023
【図２３】
0004885174.tif 000024
【図２４】
0004885174.tif 000025
【図２５】
0004885174.tif 000026
【図２６】
0004885174.tif 000027
【図２７】
0004885174.tif 000028
【図２８】
0004885174.tif 000029
【図２９】
0004885174.tif 000030
【図３０】
0004885174.tif 000031
【図３１】
0004885174.tif 000032
【図３２】
0004885174.tif 000033
【図３３】
0004885174.tif 000034